(57)【要約】【課題】スタンバイ状態とバックライト故障状態とを、操作者が容易に判別することが可能な表示入力装置、及び点灯方法を提供する。【解決手段】本発明の表示入力装置は、表示部、状態表示部、ＰＷＭ機能部、及び制御信号送信部を備える。また、ＰＷＭ機能部から状態表示部へＰＷＭ信号を送信するための経路上に設けられて、ＰＷＭ信号の通過／遮断を行う切替部を備える。また、ＰＷＭ機能部及び制御信号送信部の制御を行う制御部を備える。切替部は、制御信号が入力されていない場合にＰＷＭ信号を通過させ、制御信号が入力されている場合にＰＷＭ信号を遮断する。制御部は、表示入力装置を所定の動作状態へ移行させるための移行指示を検知した場合に、制御信号の出力を停止するよう制御信号送信部を制御するとともに、デューティ比が時間経過に応じて変化するＰＷＭ信号を生成して出力するようＰＷＭ機能部を制御する。【選択図】図３
2012173589.tif 000002
【特許請求の範囲】
【請求項１】
バックライトを用いて画像の表示を行う表示部と、
装置の駆動状態を示すための点灯部材を備えた状態表示部と、
前記バックライトまたは前記状態表示部に対してＰＷＭ（Pulse Width Modulation）信号を送信するＰＷＭ機能部と、
前記ＰＷＭ機能部から前記状態表示部へ前記ＰＷＭ信号を送信するための経路上に設けられて前記ＰＷＭ信号の通過／遮断を行う切替部と、
前記バックライト、前記状態表示部、または前記切替部に対して制御信号を送信する制御信号送信部と、
前記ＰＷＭ機能部及び前記制御信号送信部の制御を行う制御部とを備えた表示入力装置において、
前記切替部は、前記制御信号が入力されていない場合に前記ＰＷＭ信号を通過させ、前記制御信号が入力されている場合に前記ＰＷＭ信号を遮断し、
前記制御部は、前記表示入力装置を予め定められた動作状態へ移行させるための移行指示を検知した場合に、前記制御信号の出力を停止するよう前記制御信号送信部を制御し、デューティ比が時間経過に応じて変化する前記ＰＷＭ信号を生成して出力するよう前記ＰＷＭ機能部を制御すること
を特徴とする表示入力装置。
【請求項２】
前記制御部は、前記移行指示により移行した動作状態の解除指示を検知した場合に、前記制御信号の出力を開始するよう前記制御信号送信部を制御し、デューティ比が一定である前記ＰＷＭ信号を出力するよう前記ＰＷＭ機能部を制御すること、
を特徴とする請求項１に記載の表示入力装置。
【請求項３】
前記制御部は、前記バックライトを消灯した状態である待機状態への移行指示を検知した場合に、前記制御信号の出力を停止するよう前記制御信号送信部を制御し、デューティ比が時間経過に応じて変化する前記ＰＷＭ信号を出力するよう前記ＰＷＭ機能部を制御し、前記待機状態の解除指示を検知した場合に、前記制御信号の出力を開始するよう前記制御信号送信部を制御し、デューティ比が一定である前記ＰＷＭ信号を出力するよう前記ＰＷＭ機能部を制御すること、
を特徴とする請求項２に記載の表示入力装置。
【請求項４】
バックライトを用いて画像の表示を行う表示部と、
装置の駆動状態を示すための点灯部材を備えた状態表示部と、
前記バックライトまたは前記状態表示部に対してＰＷＭ信号を送信するＰＷＭ機能部と、
前記ＰＷＭ機能部から前記状態表示部へ前記ＰＷＭ信号を送信するための経路上に設けられて前記ＰＷＭ信号の通過／遮断を行う切替部と、
前記バックライト、前記状態表示部、または前記切替部に対して制御信号を送信する制御信号送信部と、
前記ＰＷＭ機能部及び前記制御信号送信部の制御を行う制御部とを備えた表示入力装置を用いた点灯方法において、
前記切替部に対して前記制御信号が入力されていない場合に前記ＰＷＭ信号を通過させ、前記切替部に対して前記制御信号が入力されている場合に前記ＰＷＭ信号を遮断する切替ステップと、
前記表示入力装置を予め定められた動作状態へ移行させるための移行指示が検知された場合に、前記制御信号の出力を停止するよう前記制御信号送信部を制御し、デューティ比が時間経過に応じて変化する前記ＰＷＭ信号を生成して出力するよう前記ＰＷＭ機能部を制御する制御ステップとを備えること
を特徴とする点灯方法。
【発明の詳細な説明】
【技術分野】
【０００１】
本発明は、制御装置に接続されて制御対象機器に関する操作及び情報表示を行う表示入力装置に関する。また、この表示入力装置で用いられる点灯方法に関する。
【背景技術】
【０００２】
近年、工場機械等の制御対象機器を制御するための制御装置であるＰＬＣ（Programmable Logic Controller）と、ＰＬＣに接続されて情報の表示及び入力受け付けを行う表示入力装置、例えばプログラマブル表示器が普及している。表示入力装置は、ＰＬＣに接続された制御対象機器の稼働状況を表示したり、制御対象機器への制御指示を与えるための操作入力を受け付けたりする機能を備えている。
【０００３】
一般に、表示入力装置は、グラフィック表示機能を備えるので、操作盤、スイッチ、表示灯などを表示することができ、機器監視システムにおける操作端末としての役割を果たす。表示入力装置は表示操作画面で受け付けた操作に基づいて所定のパルス波（例えば方形波）を生成し、パルス信号としてＰＬＣへ出力する。
【０００４】
上記に関連して、近年では、ネットワーク技術の発展に伴い、複数の表示入力装置をＬＡＮ（Local Area Network）等のネットワークに接続し、表示入力装置をＰＣ（Personal Computer）等のコンピュータから管理する機器監視システムが実用化されている。
【０００５】
これにより、例えば、表示入力装置が操作者より操作を受け付けるために表示入力画面に表示する操作画像の作成／編集を、ＰＣから行うことが可能である。ＰＣには予め、表示入力装置と通信するためのミドルウェアや、操作画像を作成／編集するためのアプリケーション（以下、「エディタ」という）がインストールされている。操作者はエディタで作成した操作画像を表示入力装置に送信すると、表示入力装置は受信した操作画像を用いた操作受け付けを行うことが可能となる。
【０００６】
このような表示入力装置は、通常、その前面に、操作者に対して動作状態を通知するためのＬＥＤランプが設けられている。ＬＥＤランプは表示入力装置の動作状態に応じて点灯／消灯を行う。例えば、表示入力装置が起動状態やスタンバイ状態であれば点灯し、起動停止状態であれば消灯する。
【０００７】
上記に関連して特許文献１には、フェードイン及びフェードアウト動作が可能で、しかも、フェードイン及びフェードアウトの周期時間の設定や点灯パターンの設定が可能なＬＥＤ表示装置が開示されている。
【０００８】
また、特許文献２には、駆動回路が故障した場合に、ＬＥＤを用いて故障を通知することができる保護回路が開示されている。この保護回路は、ヒーター駆動回路が故障した場合、ヒーター駆動回路の出力とヒーター制御回路の出力とが同じ論理となる。つまり、監視回路の二つの入力には同じ論理の信号が入力され、監視回路からハイレベルの信号が出力され、ＬＥＤが点灯して故障したことを操作者に知らせる。
【先行技術文献】
【特許文献】
【０００９】
【特許文献１】特開２００４−２０７４１１号公報
【特許文献２】特開２０００−１６４３７６号公報
【発明の概要】
【発明が解決しようとする課題】
【００１０】
しかしながら、特許文献１及び特許文献２に示されている技術は、ＬＥＤ単体の制御に関する技術であり、表示入力装置の動作、例えばバックライト動作等と連動した制御を行っている訳ではない。また、単色ＬＥＤであるため、点灯／消灯を切り替えることしかできず、従って、通知できる状態の種別が少ないという問題があった。
【００１１】
このため、例えば、バックライトが故障した場合、画面表示がなされず、且つＬＥＤランプが点灯した状態となる。これは、バックライトを一時的に動作停止させるスタンバイ状態と同じ状態である。従って、上記の状態になった場合に、正常なスタンバイ状態なのか、或いはバックライトが壊れた異常状態であるのかを、操作者が正確に認識できないという問題があった。
【００１２】
本発明は、上記の課題を解決するために発明されたものであり、その目的は、スタンバイ状態とバックライト故障状態とを、操作者が容易に判別することが可能な表示入力装置を提供することにある。また、この表示入力装置で用いられる点灯方法を提供することにある。
【課題を解決するための手段】
【００１３】
上記目的を達成するために、本発明の表示入力装置は、バックライトを用いて画像の表示を行う表示部と、装置の駆動状態を示すための点灯部材を備えた状態表示部と、前記バックライトまたは前記状態表示部に対してＰＷＭ（Pulse Width Modulation）信号を送信するＰＷＭ機能部と、前記ＰＷＭ機能部から前記状態表示部へ前記ＰＷＭ信号を送信するための経路上に設けられて前記ＰＷＭ信号の通過／遮断を行う切替部と、前記バックライト、前記状態表示部、または前記切替部に対して制御信号を送信する制御信号送信部と、前記ＰＷＭ機能部及び前記制御信号送信部の制御を行う制御部とを備えた表示入力装置において、前記切替部は、前記制御信号が入力されていない場合に前記ＰＷＭ信号を通過させ、前記制御信号が入力されている場合に前記ＰＷＭ信号を遮断し、前記制御部は、前記表示入力装置を予め定められた動作状態へ移行させるための移行指示を検知した場合に、前記制御信号の出力を停止するよう前記制御信号送信部を制御し、デューティ比が時間経過に応じて変化する前記ＰＷＭ信号を生成して出力するよう前記ＰＷＭ機能部を制御することを特徴とする。
【００１４】
また、上記目的を達成するために、本発明の表示入力装置が備える前記制御部は、前記移行指示により移行した動作状態の解除指示を検知した場合に、前記制御信号の出力を開始するよう前記制御信号送信部を制御し、デューティ比が一定である前記ＰＷＭ信号を出力するよう前記ＰＷＭ機能部を制御することを特徴とする。
【００１５】
また、上記目的を達成するために本発明の表示入力装置が備える前記制御部は、前記バックライトを消灯した状態である待機状態への移行指示を検知した場合に、前記制御信号の出力を停止するよう前記制御信号送信部を制御し、デューティ比が時間経過に応じて変化する前記ＰＷＭ信号を出力するよう前記ＰＷＭ機能部を制御し、前記待機状態の解除指示を検知した場合に、前記制御信号の出力を開始するよう前記制御信号送信部を制御し、デューティ比が一定である前記ＰＷＭ信号を出力するよう前記ＰＷＭ機能部を制御することを特徴とする。
【００１６】
また、上記目的を達成するために本発明の点灯方法は、バックライトを用いて画像の表示を行う表示部と、装置の駆動状態を示すための点灯部材を備えた状態表示部と、前記バックライトまたは前記状態表示部に対してＰＷＭ信号を送信するＰＷＭ機能部と、前記ＰＷＭ機能部から前記状態表示部へ前記ＰＷＭ信号を送信するための経路上に設けられて前記ＰＷＭ信号の通過／遮断を行う切替部と、前記バックライト、前記状態表示部、または前記切替部に対して制御信号を送信する制御信号送信部と、前記ＰＷＭ機能部及び前記制御信号送信部の制御を行う制御部とを備えた表示入力装置を用いた点灯方法において、前記切替部に対して前記制御信号が入力されていない場合に前記ＰＷＭ信号を通過させ、前記切替部に対して前記制御信号が入力されている場合に前記ＰＷＭ信号を遮断する切替ステップと、前記表示入力装置を予め定められた動作状態へ移行させるための移行指示が検知された場合に、前記制御信号の出力を停止するよう前記制御信号送信部を制御し、デューティ比が時間経過に応じて変化する前記ＰＷＭ信号を生成して出力するよう前記ＰＷＭ機能部を制御する制御ステップとを備えることを特徴とする。
【発明の効果】
【００１７】
本発明によれば、バックライト消灯時の待機状態におけるステータスＬＥＤ（＝状態表示部）の点灯方法について、デューティ比が常に変化するＰＷＭ信号を用いた点灯を行う。これにより、バックライト消灯時の待機状態において、明暗の度合いが常に変化する、なめらかな輝度変化の点灯状態とし、通常の点灯状態と異なる状態とする。これにより、バックライトが消灯している場合において、待機状態であるためにバックライトが消灯しているのか、或いは故障のためバックライトが消灯しているのかを、操作者が判別できるようにしている。従って、バックライトの故障を検知するための検知部を設けて故障発生を通知する必要がないため、省サイズ及び省コストという点で有利である。
【図面の簡単な説明】
【００１８】
【図１】本発明の表示入力装置が含まれるシステムの構成を示すブロック図である。
【図２】本発明の表示入力装置の装置構成を示すブロック図である。
【図３】本発明の表示入力装置の回路構成を示す模式図である。
【図４】本発明の表示入力装置のＰＷＭ信号の波形を示す模式図である。
【図５】本発明の表示入力装置の点灯制御処理を示すフロー図である。
【図６】本発明の表示入力装置の点灯制御処理を示すフロー図である。
【発明を実施するための形態】
【００１９】
以下に、本発明の一実施形態に係る表示入力装置について、図面を参照しつつ説明する。なお、ここで示す実施形態は一例であり、本発明はここに示す実施形態に限定されるものではない。
〈１．表示入力装置を含むシステムの構成について〉
【００２０】
図１は、本発明の一実施形態に係る表示入力装置が含まれるシステムの構成を示している。このシステムは少なくとも、プログラマブル表示器１００（＝表示入力装置）と、ＰＣ２００と、ＰＬＣ３００と、制御対象機器４００とを含むように構成されている。
【００２１】
また、プログラマブル表示器１００及びＰＣ２００は、ＬＡＮ５００により相互接続されている。なお、図示していないが、ＬＡＮ５００には上記プログラマブル表示器１００を複数接続することも可能である。
【００２２】
プログラマブル表示器１００は、シリアルケーブルを介したＰＬＣ３００との通信により、ＰＬＣ３００を介して各制御対象機器４００の状態を取得する。そして、後述する表示部１６０に、各制御対象機器４００の状態を表示する機能を備えている。
【００２３】
また、プログラマブル表示器１００は、タッチパネル１８０を備えている（図２参照）。タッチパネル１８０は、プログラマブル表示器１００の表示器本体の表示面前面に貼付された操作用装置である。プログラマブル表示器１００は、タッチパネル１８０への操作に応じて、各制御対象機器４００の状態制御をＰＬＣ３００に指示する機能を備えている。
【００２４】
また、プログラマブル表示器１００は、ＬＡＮ５００を介してＰＣ２００との間で、各種データを送受信する機能を備えている。例えば、ＰＬＣ３００を介して取得した制御対象機器４００の駆動履歴情報や状態情報等を、ＰＣ２００に送信することが可能である。
【００２５】
ＰＣ２００は、予めインストールされたＯＳ上で各種アプリケーションを実行することにより様々な機能を実現するコンピュータである。ＰＣ２００には、プログラマブル表示器１００と通信を行うと共に送受信データの変換処理等を行うミドルウェアがインストールされている。
【００２６】
また、ＰＣ２００には、プログラマブル表示器１００に表示する操作画像及び操作画像に関連する設定情報を編集するためのエディタや、プログラマブル表示器１００より取得した情報をデータベース管理するための各種アプリケーションがインストールされている。
【００２７】
ＰＬＣ３００は、操作者が作成したシーケンスプログラムに従って、各制御対象機器４００に制御指示を与える。例えば、数十ｍｓなどの予め定められたスキャンタイム毎に、入力ユニットを介して入力元の制御対象機器４００の状態を取り込むとともに、出力先の制御対象機器４００に状態を変更するように制御指示を与える。
【００２８】
制御対象機器４００は、例えばアクチュエータ、リレー、電磁弁等であり、所定の製品を生産するのに用いられる。これらの制御対象機器４００は、製造ラインなどの所要各部に配置される。なお制御対象機器４００には、故障が発生すると予測される箇所にリミットスイッチやセンサ等の異常検知装置が設けられている。
〈１−２．装置構成について〉
【００２９】
次に、本発明の一実施形態に係るプログラマブル表示器１００及びＰＣ２００の内部構成を、図２を用いて説明する。なお、本発明と直接関わりのない機能部については、図示するのを省略している。
【００３０】
プログラマブル表示器１００は、制御部１１０、ＲＯＭ（Read Only Member）１２０、ＲＡＭ（Random Access Memory）１３０、フラッシュメモリ１４０、ネットワークＩ／Ｆ部１５０、表示部１６０、外部装置Ｉ／Ｆ部１７０、及びタッチパネル１８０を備える。また外部装置Ｉ／Ｆ部１７０により接続される装置として、ＰＬＣ３００が存在する。
【００３１】
制御部１１０は、プログラマブル表示器１００に含まれる機器を統括制御するための中央処理装置である。制御部１１０は例えば、所定の時間間隔毎や所定のイベント毎にＰＬＣ３００と通信して所定情報を取得し、ＲＡＭ１３０に書き込む。また制御部１１０は、複数のオブジェクトを組みあわせて作成された画面を描画表示する制御を行う。
【００３２】
また、制御部１１０は、制御部１１０が備える演算処理装置上で所定のプログラムを実行することにより実現される機能部として、表示制御部１１１、動作制御部１１２、ＰＷＭ機能部１１３、及びＩ／Ｏ機能部１１４を備えている。
【００３３】
表示制御部１１１は、後述するＰＣ２００の制御部２１０により生成される表示制御プログラムを実行することにより実現される機能部である。表示制御部１１１は、ＰＬＣ３００を介して制御対象機器４００の状態を表示する。例えば、制御対象機器４００に設けられたセンサにより制御対象機器４００の異常が検知された場合に、異常発生箇所を示す画像を表示部１６０に表示する。
【００３４】
動作制御部１１２は、後述するＰＣ２００の制御部２１０により生成される動作制御プログラムを実行することにより実現される機能部である。動作制御部１１２は、ＰＬＣ３００を介して制御対象機器４００の動作を制御する。例えば、制御対象機器４００に含まれるアクチュエータの操作や、電磁弁の開閉等の制御を行う。
【００３５】
ＰＷＭ（Pulse Width Modulation）機能部１１３は、ＰＷＭ制御を行うためのＰＷＭ信号を生成して出力する。Ｉ／Ｏ機能部１１４（＝制御信号送信部）は、後述するバックライト１６１の調光制御を行うためのバックライトＯＮ信号（＝制御信号）や、ステータスＬＥＤ１９３の点灯制御を行うためのＬＥＤ信号（＝制御信号）を生成して出力する（図３を参照）。なおＰＷＭ機能部１１３及びＩ／Ｏ機能部１１４の詳細については後述する。
【００３６】
ＲＯＭ１２０は、プログラムや工場出荷時の各種設定情報等、操作者による書き換えが行われることのない情報を記録する読み取り専用の記録媒体である。ＲＯＭ１２０は、例えば、制御部１１０が実行するファームウェアプログラム、例えば、ＢＩＯＳ１２１等を記録している。
【００３７】
ＢＩＯＳ１２１は、ファームウェアプログラムの一種であり、制御部１１０と各機器とが最も低い階層で信号の入出力を行うためのプログラムである。ＢＩＯＳ１２１が読み出されて実行されることにより、制御部１１０は、通信バスに接続された機器、例えば、表示部１６０等の制御を実施することが可能となる。
【００３８】
ＲＡＭ１３０は、プログラマブル表示器１００が保持する各種データを一時的に記録する記録媒体である。ＲＡＭ１３０は、制御部１１０によって各種情報処理が行われる際の処理データや、操作者から受けた指示命令等を一時的に記録しておくためのバッファメモリとしての役割を持つ。
【００３９】
フラッシュメモリ１４０は、ＥＥＰＲＯＭの一種で、デバイスの利用者が書き込み／消去可能なＲＯＭである。フラッシュメモリ１４０は回路基板に実装したままで書き込み、消去ができるため、利用時に書き換えが必要な用途、例えば、装置の動作設定データや、利用者固有の情報等を保存するのに用いられる。
【００４０】
ネットワークＩ／Ｆ部１５０は、プログラマブル表示器１００とＬＡＮ５００とを接続するためのインタフェースであり、例えば、１００Ｂａｓｅ−ＴＸ規格のＬＡＮカード等が用いられる。この場合、ネットワークＩ／Ｆ部１５０にはツイストペアケーブル等の通信ケーブルが接続される。
【００４１】
表示部１６０は、プログラマブル表示器１００を薄型に構成するための表示装置である。具体的には、例えば、液晶ディスプレイ、ＥＬディスプレイ、またはプラズマディスプレイのような平板型ディスプレイが用いられる。表示部１６０は、その内部にバックライト１６１（図３）を備え、これにより発光を行って操作者が画面を視認できるようにする。
【００４２】
外部装置Ｉ／Ｆ部１７０は、ＰＬＣ３００等と相互通信を行うための通信制御部である。両装置はシリアルケーブル等で接続される。外部装置Ｉ／Ｆ部１７０は、ＰＬＣ３００のメーカや機種に応じた通信プロトコルを用いて通信する。
【００４３】
タッチパネル１８０は、表示部１６０の表示面前面に貼付配置された操作用装置である。タッチパネル１８０が貼付された表示領域に操作者がタッチ操作を行うと、操作位置座標に応じた制御指示が生成され、制御部１１０に与えられる。
【００４４】
次に、ＰＣ２００について説明する。ＰＣ２００は、制御部２１０、メモリ２２０、ネットワークＩ／Ｆ部２３０、及びＨＤＤ（Hard Disk Drive）２４０を備える。
【００４５】
制御部２１０は、ＰＣ２００が備える機器を統括制御するための中央処理装置である。制御部２１０は、ネットワークＩ／Ｆ部２３０を用いて、プログラマブル表示器１００との通信を行う。また、通信により得られた各種処理情報、及びプログラム情報等をメモリ２２０やＨＤＤ２４０に記録する。
【００４６】
また、制御部２１０は、所定の画像を用いた表示操作画面をプログラマブル表示器１００の表示部１６０に表示するための表示制御プログラムを生成する。また制御部２１０は、この表示操作画面でタッチパネル１８０により受け付けた操作に基づいて制御対象機器４００の制御を行うための、動作制御プログラムを生成する。
【００４７】
例えば、制御部２１０は、制御対象機器４００を操作する操作盤と同等の機能を備える操作盤画面を、表示部１６０に表示するための表示制御プログラムを生成する。そしてこの操作盤画面で受け付けた操作に応じてＰＬＣ３００へ制御信号を送るための、動作制御プログラムを生成する。なお、生成された各プログラムは、例えば、ＬＡＮ５００を介してプログラマブル表示器１００へ伝送する。
〈３．回路構成について〉
【００４８】
ここで、本発明の一実施形態に係るプログラマブル表示器１００が、バックライト１６１の調光、及びステータスＬＥＤ１９３の点灯を行うための回路構成について、図３を用いながら説明する。
【００４９】
図３に示すように、ＰＷＭ機能部１１３より出力されるＰＷＭ信号は、バックライト１６１及びステータスＬＥＤ１９３（＝点灯部材、状態表示部）へ送られる。また、Ｉ／Ｏ機能部１１４より出力されるバックライトＯＮ信号は、バックライト１６１、及びスイッチング回路１９１（＝切替部）へ送られる。また、Ｉ／Ｏ機能部１１４より出力されるＬＥＤ信号は、ステータスＬＥＤ１９３へ送られる。
【００５０】
なお、ＰＷＭ機能部１１３からステータスＬＥＤ１９３へＰＷＭ信号が送られる経路上には、スイッチング回路１９１及び論理回路１９２が設けられている。
【００５１】
Ｉ／Ｏ機能部１１４は、バックライト１６１に対するバックライトＯＮ信号、及びステータスＬＥＤ１９３に対するＬＥＤ信号を生成して出力する。なお、バックライトＯＮ信号は、スイッチング回路１９１にも入力され、スイッチング回路１９１の切り替えを行うための制御信号として用いられる。
【００５２】
スイッチング回路１９１は、ＰＷＭ機能部１１３から出力されるＰＷＭ信号の通過／遮断を選択的に行うための切り替え装置である。Ｉ／Ｏ機能部１１４からスイッチング回路１９１に対して所定の制御信号（図３の例ではバックライトＯＮ信号）が入力されている場合、ステータスＬＥＤ１９３へのＰＷＭ信号を遮断する。逆に、Ｉ／Ｏ機能部１１４からスイッチング回路１９１に対して所定の制御信号が入力されていない場合、ステータスＬＥＤ１９３へＰＷＭ信号を通過させる。
【００５３】
ＰＷＭ機能部１１３は、出力チャンネルを一チャンネルのみ備える。このため、バックライト１６１へ送られるＰＷＭ信号とステータスＬＥＤ１９３へ送られるＰＷＭ信号とは同じものとなる。ＰＷＭ機能部１１３は、バックライト点灯時とバックライト消灯時とで、出力信号の波形を変更する。
【００５４】
具体的には、ステータスＬＥＤ１９３の点灯制御を行うための波形をしたＰＷＭ信号と、バックライト１６１の調光制御を行うための波形をしたＰＷＭ信号とを、選択的に切り替えて出力する。
【００５５】
ＰＷＭ機能部１１３は、バックライト点灯時において、ＰＷＭ信号の波形を、バックライト１６１を調光制御するための波形に変更する。またＰＷＭ機能部１１３は、バックライト消灯時において、ＰＷＭ信号の波形を、ステータスＬＥＤ１９３を点灯制御するための波形に変更する。
【００５６】
図４は、ステータスＬＥＤ１９３の点灯制御を行うための、ＰＷＭ信号の波形の一例を示している。図４に示すように、周期Ｔを一周期とし、一周期毎にＯＮ時間（図中のｔ_ｏｎ）とＯＦＦ時間（図中のｔ_ｏｆｆ）の比率（＝デューティ比）を変化させる。これにより、点灯時間と消灯時間との長さを常に変化させる。この変化を繰り返して行うことで、操作者の目には、なめらかな輝度変化がステータスＬＥＤ１９３に発生しているように見える。
【００５７】
なお、図示していないが、バックライト１６１の調光制御を行うためのＰＷＭ信号の波形は、デューティ比が一定であり、時間経過に応じて変化しない波形を用いる。この場合のデューティ比は、例えば、操作者により予め設定されたバックライト１６１の輝度設定等に基づいて決定する。従って、輝度設定の設定変更が行われれば、用いるデューティ比も変化する。
【００５８】
以上の構成により、バックライト点灯時は、Ｉ／Ｏ機能部１１４より出力されるＬＥＤ信号がステータスＬＥＤ１９３へ送られるとともに、ＰＷＭ機能部１１３より出力される調光制御用のＰＷＭ信号が、バックライト１６１へ送られる。逆にバックライト消灯時は、Ｉ／Ｏ機能部１１４より出力されるＬＥＤ信号が出力停止され、ＰＷＭ機能部１１３より出力される点灯制御用のＰＷＭ信号が、ステータスＬＥＤ１９３へ送られる。
〈４．点灯制御処理について〉
【００５９】
ここで、本発明の一実施形態に係るプログラマブル表示器１００が実施する点灯制御処理の処理フローを、図５及び図６のフロー図を用いながら説明する。
【００６０】
図５に示す処理フローは、プログラマブル表示器１００が通電状態にあり、且つバックライト１６１を一時的に消灯させた状態であるスタンバイ状態（＝待機状態）への移行指示を検知した場合に開始される。なおスタンバイ状態への移行指示は、例えばタッチパネル１８０等による操作が所定時間を超過しても検知されなかった場合等に、制御部１１０により発行される。
【００６１】
本処理の開始後、制御部１１０はステップＳ１１０において、バックライトＯＮ信号の出力を停止するよう、Ｉ／Ｏ機能部１１４を制御する。これにより、バックライト１６１の消灯が行われる。また、スイッチング回路１９１に入力されていたバックライトＯＮ信号が消失するため、信号経路の切り替えが行われる。
【００６２】
この結果、ＰＷＭ機能部１１３からステータスＬＥＤ１９３への信号経路が確立される。これにより、ＰＷＭ信号をバックライト１６１の調光制御用ではなく、スタンバイ状態を表すためのステータスＬＥＤ１９３の点灯制御用として用いることが可能な状態となる。
【００６３】
次に、制御部１１０はステップＳ１２０において、ＬＥＤ信号の出力を停止するよう、Ｉ／Ｏ機能部１１４を制御する。これにより、ステータスＬＥＤ１９３の消灯が行われる。
【００６４】
次に、制御部１１０はステップＳ１３０において、ＰＷＭ信号の信号波形を変更して出力するよう、ＰＷＭ機能部１１３を制御する。具体的には、図４に示す、ステータスＬＥＤ１９３の点灯制御用の信号波形に変更する。信号波形が変更されたＰＷＭ信号は、スイッチング回路１９１を経由してステータスＬＥＤ１９３へ送られる。これにより、ステータスＬＥＤ１９３が、明暗の度合いを常に変化させながら点滅を行う状態となる。
【００６５】
次に、スタンバイ状態から通常状態への移行時における点灯制御処理について、図６を用いて説明する。図６に示す処理フローは、プログラマブル表示器１００が通電状態にあり、且つスタンバイ状態から通常状態への移行指示を検知した場合に開始される。なお、通常状態への移行指示は、例えば、スタンバイ状態においてタッチパネル１８０等による操作が検知された場合に、制御部１１０により発行される。
【００６６】
本処理の開始後、制御部１１０はステップＳ２１０において、バックライトＯＮ信号の出力を開始するよう、Ｉ／Ｏ機能部１１４を制御する。これにより、バックライト１６１の点灯が行われる。また、スイッチング回路１９１にバックライトＯＮ信号が入力されるようになるため、信号経路の切り替えが行われる。
【００６７】
この結果、ＰＷＭ機能部１１３からステータスＬＥＤ１９３への信号経路が遮断される。これにより、ＰＷＭ信号を、スタンバイ状態を表すためのステータスＬＥＤ１９３の点灯制御用ではなく、バックライト１６１の調光制御用として用いることが可能な状態となる。
【００６８】
次に、制御部１１０はステップＳ２２０において、ＬＥＤ信号の出力を開始するよう、Ｉ／Ｏ機能部１１４を制御する。これにより、ステータスＬＥＤ１９３の点灯が行われる。
【００６９】
次に、制御部１１０はステップＳ２３０において、ＰＷＭ信号の信号波形を変更して出力するよう、ＰＷＭ機能部１１３を制御する。具体的には、デューティ比が一定である、バックライト１６１の調光制御用の信号波形に変更する。信号波形が変更されたＰＷＭ信号は、バックライト１６１へ送られる。これにより、ＰＷＭ信号を用いたバックライト１６１の調光が実施される状態となる。
【００７０】
以上の処理フローにより、スタンバイ状態と通常状態とでステータスＬＥＤ１９３の点灯方法を変更し、操作者がプログラマブル表示器１００の状態を容易に判別できるようにしている。
【００７１】
以上に説明した本実施形態によれば、通常状態、つまりバックライト点灯時は、ステータスＬＥＤ１９３を常時点灯させる。そしてスタンバイ状態、つまりバックライト消灯時は、ステータスＬＥＤ１９３を明暗の繰り返しにより点滅させる。この際、単なる点滅ではなく、ＰＷＭ制御によりＯＮ／ＯＦＦの時間に変化をもたせ、なめらかな輝度変化が発生するようにしている。
【００７２】
これにより操作者は、バックライト１６１が意図的に消灯されているのか、或いは故障で消灯しているのかを、ステータスＬＥＤ１９３により判断可能である。つまり、画面表示がなされず、且つステータスＬＥＤ１９３が点灯していれば故障状態であり、逆に画面表示がなされず、且つステータスＬＥＤ１９３がなめらかな輝度変化で点滅していればスタンバイ状態であると判断できる。
【００７３】
以上の構成によれば、バックライト１６１の故障を検知するための検知部材や、故障検知を通知するための通知部材を新たに設けることなく、バックライト１６１の故障を操作者に認識させることができる。
【００７４】
［その他の実施の形態］
以上、好ましい実施の形態及び実施例をあげて本発明を説明したが、本発明は必ずしも上記実施の形態に限定されるものではなく、その技術的思想の範囲内において様々に変形して実施することができる。
【００７５】
従って、本発明は、以下の形態にも適用可能である。
【００７６】
（Ａ）上記実施形態では、バックライト１６１及びステータスＬＥＤ１９３の制御を行うための機能部、例えば、ＰＷＭ機能部１１３が、マイクロプロセッサ等の演算処理装置上でプログラムを実行することにより実現されているが、各機能部が複数の回路により実現される形態でもよい。
【００７７】
（Ｂ）また、上記実施形態では、本発明の表示入力装置の一例としてプログラマブル表示器１００を例示しているが、これ以外の表示入力装置を用いて本発明を実施する形態でもよい。例えば、携帯用の操作表示端末であるハンディターミナルを用いて、本発明を実施する形態でもよい。
【００７８】
（Ｃ）また、上記実施形態では、ステータスＬＥＤ１９３をＰＷＭ制御によるなめらかな輝度変化で点灯させる条件として、スタンバイ状態への移行を例に説明を行ったが、これ以外の状態に遷移した場合に、ＰＷＭ制御による点灯を行う形態でもよい。
【００７９】
（Ｄ）また、上記実施形態では、ＰＷＭ信号の通過／遮断の切り替えにスイッチング回路１９１を用いているが、この代わりに半導体素子等を用いる形態でもよい。この形態の場合、半導体素子のゲートに印加される電圧の有無により、ＰＷＭ信号の通過／遮断を切り替える。
【００８０】
（Ｅ）また、上記実施形態では、ＰＷＭ信号の出力チャンネルが一チャンネルであるためスイッチング回路１９１による切り替えを行っているが、ＰＷＭ機能部１１３が出力チャンネルを２チャンネル以上備え、一チャンネルをバックライト１６１の制御用、一チャンネルをステータスＬＥＤ１９３の制御用とする形態でもよい。これにより、スイッチング回路１９１を省略できる。ただしこの形態でも、ＰＷＭ機能部１１３は、プログラマブル表示器１００の状態遷移に応じて、ＰＷＭ信号の波形を変更する処理を上記実施形態と同様に行う。
【符号の説明】
【００８１】
１００  プログラマブル表示器（表示入力装置）
１１０  制御部
１１１  表示制御部
１１２  動作制御部
１１３  ＰＷＭ機能部
１１４  Ｉ／Ｏ機能部（制御信号送信部）
１２０  ＲＯＭ
１３０  ＲＡＭ
１４０  フラッシュメモリ
１５０  ネットワークＩ／Ｆ部
１６０  表示部
１６１  バックライト
１７０  外部装置Ｉ／Ｆ部
１８０  タッチパネル
１９１  スイッチング回路（切替部）
１９２  論理回路
１９３  ステータスＬＥＤ（点灯部材、状態表示部）
２００  ＰＣ
３００  ＰＬＣ
４００  制御対象機器
５００  ＬＡＮ
【図１】
2012173589.tif 000003
【図２】
2012173589.tif 000004
【図３】
2012173589.tif 000005
【図４】
2012173589.tif 000006
【図５】
2012173589.tif 000007
【図６】
2012173589.tif 000008